(57)【要約】【課題】２次元に配列された複数の撮像素子を用いて原稿読取を行なう画像読取装置において、読取りデータの不安定性や濃度ムラが生じることを防ぐ。【解決手段】画像読取装置は、原稿１を照射するための光源８と、原稿１からの光を受光する２次元に配列された複数の撮像素子からなる撮像素子９と、撮像素子９の原稿読取面とは反対側に設けられる、２次元に配列された複数の撮像素子からなる撮像素子１０と、撮像素子１０での読取りが可能な位置に設けられる補正部材６と、撮像素子９で白基準板を読取ることにより得られた補正値を記憶する記憶部と、撮像素子１０で補正部材６を読取ったデータに基づいて、補正値を補正する補正部とを備える。補正された補正値に基づいてシェーディング補正が行なわれる。【選択図】図１
2010045512.tif 000002
【特許請求の範囲】
【請求項１】
原稿を照射するための光源と、
前記原稿からの光を受光する２次元に配列された複数の撮像素子からなる第１の撮像素子と、
前記第１の撮像素子の原稿読取面とは反対側に設けられる、２次元に配列された複数の撮像素子からなる第２の撮像素子と、
前記第２の撮像素子での読取りが可能な位置に設けられる補正部材とを備えた、画像読取装置。
【請求項２】
前記第１の撮像素子で基準板を読取ることにより得られた補正値を記憶する記憶手段と、
前記第２の撮像素子で前記補正部材を読取ったデータに基づいて、前記補正値を補正する第１の補正手段とをさらに備えた、請求項１に記載の画像読取装置。
【請求項３】
前記補正手段で補正された前記補正値に基づいて、前記第１の撮像素子で得られたデータを補正する第２の補正手段をさらに備えた、請求項２に記載の画像読取装置。
【請求項４】
前記第２の撮像素子は、前記補正部材からの光を受光する、請求項１から３のいずれかに記載の画像読取装置。
【請求項５】
前記光源と前記原稿の載置位置との間に設けられる、光の透過の度合いを変化させることができる第１の部材と、
前記光源と前記補正部材との間に設けられる、光の透過の度合いを変化させることができる第２の部材と、
前記原稿の読取時と前記補正部材の読取時とで、前記第１の部材および前記第２の部材の光の透過の度合いを変化させる制御手段とをさらに備えた、請求項１から４のいずれかに記載の画像読取装置。
【請求項６】
前記補正部材は、前記第２の撮像素子の下側に備えられ、
前記第１の部材および前記第２の部材のそれぞれは、電気的に反射状態と透過状態とを切替可能な部材であり、
前記制御手段は、前記原稿の読取時と前記補正部材の読取時とで、前記第１の部材および前記第２の部材のそれぞれの反射・透過状態を切替える、請求項５に記載の画像読取装置。
【請求項７】
前記第１の撮像素子は、前記原稿からの反射光を受光し、
前記補正部材は、前記光源のムラおよび撮像素子の感度不均一性の少なくとも１つを補正するための白補正板である、請求項１から６のいずれかに記載の画像読取装置。
【請求項８】
前記第１の撮像素子、および前記第２の撮像素子は、共通の電荷蓄積部を有する、請求項１から７のいずれかに記載の画像読取装置。
【請求項９】
原稿を照射するための光源と、
前記原稿からの光を受光する２次元に配列された複数の撮像素子からなる第１の撮像素子と、
前記第１の撮像素子の原稿読取面とは反対側に設けられる、２次元に配列された複数の撮像素子からなる第２の撮像素子と、
前記第２の撮像素子での読取りが可能な位置に設けられる補正部材と、
前記第１の撮像素子で基準板を読取ることにより得られた補正値を記憶する記憶手段とを備えた、画像読取装置の制御方法であって、
前記第２の撮像素子で前記補正部材を読取ったデータに基づいて、前記補正値を補正する補正ステップを備えた、画像読取装置の制御方法。
【発明の詳細な説明】
【技術分野】
【０００１】
この発明は画像読取装置、および画像読取装置の制御方法に関し、特に、画像の補正を行なうことができる画像読取装置、および画像読取装置の制御方法に関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機など）には、紙の文書から画像を読取るスキャナ（画像読取装置の一例）が備えられている。
【０００３】
スキャナの構造としては、１次元に配列された複数の撮像素子を機械的に走査させることで、２次元の画像を取得するものが一般的である。１次元の撮像素子の配列方向のムラを補正するために、細長い白基準板を用いて白補正を行なうことが一般的である。
【０００４】
下記特許文献１には、光源として有機ＥＬ素子を有し、光電変換素子としてフォトダイオードを有し、各部の動作をＴＦＴで制御する２次元読取装置（密着型エリアセンサ）が開示されている。
【０００５】
また、ＳＯＧ（システムオングラス）により表示装置に撮像素子を埋め込むことで、２次元のスキャナ機能を有するデバイスが提案されている。
【０００６】
このような装置では、機械的な走査が不要であるため、走査に関わる不安定性や耐久劣化、騒音等の問題がなくなると共に、装置の小型化が可能である。従って、これら装置は新たな原稿読取装置として注目されている。
【特許文献１】特開２００１−２９２２７６号公報
【発明の開示】
【発明が解決しようとする課題】
【０００７】
しかしながら、従来の２次元に撮像素子を配列させた２次元読取装置（密着型エリアセンサ）では、各画素の感度や光量ムラを補正することができないという問題があった。すなわち、２次元に撮像素子を有する構造では、１次元に配列された撮像素子を走査する構造のように、白基準板による補正ができない。このため、安定してムラのない画像を読取る性能に関しては、１次元撮像素子を備えた読取装置よりも劣ることが懸念される。
【０００８】
このような問題を解決するために、ユーザが触れることができる場所に白基準板を配置し、適宜ユーザに白基準板を２次元読取装置にセットしてもらい、２次元読取装置で白基準板を読取ることで補正を行なうことが考えられる。しかしながらこの場合、白基準板が汚れたり劣化することによって、安定的な補正を行なうことができないという新たな問題が発生する。もっとも、ユーザに白基準板を劣化しないように保管してもらうことで、汚れや劣化の影響を受けにくくし、定期的な補正を行なうことも考えられる。しかしこの場合、ユーザにとって面倒であるため、補正が実施されない可能性が高い。
【０００９】
デジタルカメラなどの２次元センサの場合、光源がないため、出荷時にセンサの感度差だけを補正するための補正データを機械毎に持たせることが行なわれる。これに対して、光源を有する原稿読取装置では、光源の劣化が大きいため定期的に補正データを作り直す必要がある。また、画素それぞれに対応させて発光素子を設ける２次元読取装置では、各々の発光素子の発光にばらつきが出やすいため、取得される画像データのムラを定期的に補正することが望ましい。
【００１０】
この発明はそのような問題点を解決するためになされたものであり、２次元に配列された複数の撮像素子を用いて原稿読取を行なう画像読取装置において、読取りデータの不安定性や濃度ムラが生じることを防ぐことができる画像読取装置、および画像読取装置の制御方法を提供することを目的としている。
【課題を解決するための手段】
【００１１】
上記目的を達成するためこの発明のある局面に従うと、画像読取装置は、原稿を照射するための光源と、原稿からの光を受光する２次元に配列された複数の撮像素子からなる第１の撮像素子と、第１の撮像素子の原稿読取面とは反対側に設けられる、２次元に配列された複数の撮像素子からなる第２の撮像素子と、第２の撮像素子での読取りが可能な位置に設けられる補正部材とを備える。
【００１２】
好ましくは画像読取装置は、第１の撮像素子で基準板を読取ることにより得られた補正値を記憶する記憶手段と、第２の撮像素子で補正部材を読取ったデータに基づいて、補正値を補正する第１の補正手段とをさらに備える。
【００１３】
好ましくは画像読取装置は、補正手段で補正された補正値に基づいて、第１の撮像素子で得られたデータを補正する第２の補正手段をさらに備える。
【００１４】
好ましくは第２の撮像素子は、補正部材からの光を受光する。
【００１５】
好ましくは画像読取装置は、光源と原稿の載置位置との間に設けられる、光の透過の度合いを変化させることができる第１の部材と、光源と補正部材との間に設けられる、光の透過の度合いを変化させることができる第２の部材と、原稿の読取時と補正部材の読取時とで、第１の部材および第２の部材の光の透過の度合いを変化させる制御手段とをさらに備える。
【００１６】
好ましくは補正部材は、第２の撮像素子の下側に備えられ、第１の部材および第２の部材のそれぞれは、電気的に反射状態と透過状態とを切替可能な部材であり、制御手段は、原稿の読取時と補正部材の読取時とで、第１の部材および第２の部材のそれぞれの反射・透過状態を切替える。
【００１７】
好ましくは第１の撮像素子は、原稿からの反射光を受光し、補正部材は、光源のムラおよび撮像素子の感度不均一性の少なくとも１つを補正するための白補正板である。
【００１８】
好ましくは第１の撮像素子、および第２の撮像素子は、共通の電荷蓄積部を有する。
【００１９】
この発明の他の局面に従うと、原稿を照射するための光源と、原稿からの光を受光する２次元に配列された複数の撮像素子からなる第１の撮像素子と、第１の撮像素子の原稿読取面とは反対側に設けられる、２次元に配列された複数の撮像素子からなる第２の撮像素子と、第２の撮像素子での読取りが可能な位置に設けられる補正部材と、第１の撮像素子で基準板を読取ることにより得られた補正値を記憶する記憶手段とを備えた、画像読取装置の制御方法は、第２の撮像素子で補正部材を読取ったデータに基づいて、補正値を補正する補正ステップを備える。
【発明の効果】
【００２０】
これらの発明に従うと、２次元に配列された複数の撮像素子を用いて原稿読取を行なう画像読取装置において、読取りデータの不安定性や濃度ムラが生じることを防ぐことができる画像読取装置、および画像読取装置の制御方法を提供することが可能となる。
【発明を実施するための最良の形態】
【００２１】
以下、本発明の実施の形態における、画像読取装置について説明する。画像読取装置は、２次元に配列された複数の撮像素子を供える。画像読取装置は、等倍結像（センサ（撮像素子）自体の解像度と原稿自体の読取解像度とが等しい）の光源切替え方式（光源をＲ（赤）→Ｇ（緑）→Ｂ（青）の順で切替えることによりカラー画像を得る方式）を採用する。画像読取装置は、白補正部材を有することで、白基準（シェーディング）補正を行なうことができるように構成される。これにより、画像の不安定性および濃度ムラを解決することができ、ムラの少ない画像を得ることができる。
【００２２】
また、白基準（シェーディング）補正においては、ユーザの煩わしい操作が不要とされている。
【００２３】
図１は、本発明の実施の形態の１つにおける画像読取装置を側面から見た断面図であり、図２は、画像読取装置を一部透過させた斜視図である。
【００２４】
画像読取装置は、光源８（８ａ〜８ｃ）および原稿１の画像を読取る撮像素子（光電変換素子）９のペアからなるユニットを縦方向、横方向の２次元に多数配列した２次元読取センサと、光源８および撮像素子を駆動するためにそれらを挟むように配置される透明電極７（図２においては図示せず）と、２次元読取センサの原稿読取側（上側）に設置される原稿ガラス２と、２次元読取センサの原稿読取側とは逆側（下側）に設置されるガラス５とを備えている。
【００２５】
原稿１の画像を読取る複数の撮像素子９のそれぞれの下部（原稿読取面とは反対側）には、画像読取装置の下部に設けられた補正部材である白基準板６を読取るための撮像素子１０（図２においては図示せず）が配置されている。
【００２６】
また、透明電極（上側）７と原稿ガラス２との間には、光を透過させる状態と、反射させる状態とを切替ることができる反射透過部材（上側）３が設けられる。透明電極７（下側）とガラス５との間には、光を透過させる状態と、反射させる状態とを切替ることができる反射透過部材（下側）４が設けられる。
【００２７】
２次元の白基準板６は、ガラス５に貼り付けられることで２次元読取センサの下側に配置される。これにより、白基準板６の表面の劣化が軽減される。白基準板６は、全面に渡り出来るだけ濃度差が少なくなるように製造される。
【００２８】
画像読取装置は、原稿ガラス２上に置かれた原稿１の画像情報を読取るため、光源８を発光させ、原稿１からの反射光を撮像素子９で読取る。これにより、２次元の画像が形成される。
【００２９】
光源８は、光の３原色のそれぞれに対応する、ＢＬＵＥ光源８ａとＧＲＥＥＮ光源８ｂとＲＥＤ光源８ｃとに分かれている。これら光源を、タイミングをずらして順次点灯させることで、３色の光源による反射光を撮像素子９で読込むことができる。読込まれた画像を合成することにより、カラー画像が形成される。
【００３０】
光源８および撮像素子９，１０は、透明電極７と図示しないトランジスタにより駆動され、画素毎に独立して制御可能である。
【００３１】
反射透過部材３，４としては、調光ミラー材料のような電気的に透過と反射状態とを可逆的に切替可能な部材が用いられる。白基準板６と撮像素子１０の間には、反射透過部材４が位置することとなる。
【００３２】
白基準板６は、少なくとも２次元読取センサの読取領域の全域をカバーするサイズを有する。
【００３３】
なお、図においては光源８と撮像素子９，１０とを実際のサイズよりも大きく記載している。
【００３４】
光源８の光量および色味、また撮像素子の感度は、製造上の誤差などの原因により各画素で差異がある。その差を補正するためには、ある基準色を読取った際の出力が、全ての画素において均一になるようにするシェーディング補正が必要である。具体的には、白基準板（白基準部材）を読取り、各画素の出力があるターゲットの値になるように各画素ごとに補正値（補正データ）を作成する。各画素ごとの補正データは記憶される。原稿読取の際に、読取られたデータと記憶している補正データとを演算してから出力することで、最終的に光源８や撮像素子９の製造ムラなどが補正される。
【００３５】
図３は、画像読取装置のハードウェア構成を示すブロック図である。
【００３６】
図を参照して、画像読取装置は、撮像素子９からの信号を入力するアナログ／デジタル変換器１１と、シェーディング補正回路１３と、撮像素子９の初期の出力（出荷時の出力）Ｖ０と狙いの白基準Ｗとから撮像素子９の初期の補正値Ｘ０を算出し、それを記憶する初期補正値Ｘ０メモリ２１と、シェーディングデータ（白基準データ）となる補正値Ｘ０’を演算し、記憶する補正値算出回路２３と、シェーディング補正後のデータに対して所望の画像処理を行なった後出力するＣＰＵ１５とを備えている。反射透過部材３，４は、ＣＰＵ１５によって制御される。
【００３７】
また、撮像素子１０からの信号は、アナログ／デジタル変換器１１に入力される。撮像素子１０の初期の出力（出荷時の出力）Ｖ１と狙いの白基準Ｗとから、撮像素子９の初期の補正値Ｘ１が算出され、初期補正値Ｘ１メモリ２５に記憶される。
【００３８】
撮像素子１０の初期の出力の記憶から所定時間経過した後の任意の時点での出力Ｖ１’と狙いの白基準Ｗとから、撮像素子１０のある時点での補正値Ｘ１’が算出され、それが補正値Ｘ１メモリ２７に記憶される。
【００３９】
なお上記において、出力Ｖ０，Ｖ１，Ｖ１’の各々は、各画素それぞれに対する出力値から構成されているものとし、補正値Ｘ０，Ｘ０’，Ｘ１，Ｘ１’の各々も、各画素それぞれに対する補正値から構成されているものとする。
【００４０】
図４は、原稿または治具白基準板を読取る状態における画像読取装置を側面から見た断面図である。
【００４１】
治具白基準板とは、白基準板６とは異なる部材であって、画像読取装置の出荷前に工場で用いられることで、撮像素子９の補正値Ｘ０を求めるために用いられる部材である。このように、例えば画像読取装置の生産過程で、出荷前などに安定した白基準板によって補正値Ｘ０が作成される。
【００４２】
治具白基準板（符号１ａにより示す。）を読取る際には図４のように、原稿ガラス２上に治具白基準板１ａが置かれる。反射透過部材３は透過状態に、反射透過部材４は反射状態に制御される。これにより、光源８から照射された光は、全て原稿ガラス２側に放射され、治具白基準板１ａの反射率に比例した反射光が撮像素子９に入射される。各画素の感度と入射光に応じた出力が、撮像素子９から出力される。出力された電圧は、図３のブロックを通って処理される。まずＡＤ変換回路１１によりデジタル化され、ＣＰＵ１５にて計算された画素毎の補正値が、初期補正値Ｘ０メモリ２１に記憶される。
【００４３】
より詳しくは、画像読取装置の出荷前に工場で治具白基準板１ａが読取られたときに、各画素の撮像素子９の初期の出力（出荷時の出力）Ｖ０が取得される。初期の出力Ｖ０および狙いの白基準Ｗから、撮像素子９の初期の補正値Ｘ０が算出され、初期補正値Ｘ０メモリ２１に記憶される。補正値Ｘ０は、光源８および撮像素子９を通して出力された各画素の出力Ｖ０に関わるばらつきを補正するための値である。
【００４４】
光源８ｃを点灯させ、反射光を隣接した撮像素子９で読取り、光電変換を行なうことで画像データが出力される。次に光源８ｂを点灯させ、同様に同じ撮像素子９で光電変換を行なうことで画像データが出力される。光源８ａでも同様の処理を行なう。
【００４５】
原稿を読取ったときには、出力された電圧がＡＤ変換され、それがシェーディング補正回路１３で補正されることにより、各画素で均一な出力を得ることができる。
【００４６】
図５は、白基準データを作成する状態における画像読取装置を側面から見た断面図である。
【００４７】
白基準データを作成する手順について説明する。出荷時（初期状態）において、画像読取装置の反射透過部材３が反射状態に、反射透過部材４が透過状態に制御される。全画素の光源８が点灯状態となる。これにより、光源８から照射された光は、白基準板６の反射率に比例して反射する。反射光は、画像読取装置の裏側にある全画素の撮像素子１０に入射し、これにより各画素の感度と入射光に応じた出力が、撮像素子１０から出力される。アナログ／デジタル変換器１１により電圧はデジタル化される。各画素の撮像素子１０の初期の出力（出荷時の出力）Ｖ１と、狙いの白基準ＷとからＣＰＵ１５により求められた画素ごとの補正値Ｘ１は、初期補正値Ｘ１メモリ２５に記憶される。
【００４８】
これにより、上記の撮像素子９の初期出力Ｖ０と同じ時期に読み取られた出力Ｖ１に基づいて算出された、初期補正値Ｘ１がメモリに記憶される。
【００４９】
出荷後の所定のタイミングにおいて、画像読取装置の反射透過部材３が反射状態に、反射透過部材４が透過状態に制御される。全画素の光源８が点灯状態となる。これにより、光源８から照射された光は原稿１で吸収されることなく、白基準板６の反射率に比例して反射する。反射光は全画素の撮像素子１０に入射し、これにより各画素の感度と入射光に応じた出力が撮像素子１０から出力される。撮像素子１０の所定時の出力Ｖ１’と、狙いの白基準ＷとからＣＰＵ１５により求められた画素ごとの補正値Ｘ１’は、補正値Ｘ１’メモリ２７に記憶される。
【００５０】
記憶された初期補正値Ｘ１および補正値Ｘ１’を用いて、補正値算出回路２３で初期補正値Ｘ０の補正が行なわれ、補正値Ｘ０’が算出される。なお、カラー画像を読み取る際は、Ｂ光源８ａ、Ｇ光源８ｂ、Ｒ光源８ｃ毎に補正値の算出を実施してもよい（補正値を、画素ごと、ＲＧＢそれぞれごとに取得し、記憶してもよい）。
【００５１】
原稿ガラス２上に置かれた原稿１の画像情報を読取るためには、光源８の発光が行なわれる。原稿１からの反射光を撮像素子９で読取ることにより、２次元の画像データが取得、形成される。そこで得られた画像データには、画素毎に濃度差および色味の差が存在する。これは、各光源の光量差、分光分布の差、撮像素子の感度差、および感度分光分布差などによるものである。その差を補正するため、白基準補正（シェーディング補正）が行なわれ、２次元読取センサの出力が補正される。すなわち、原稿読取の際には、補正値Ｘ０’を用いて、シェーディング補正回路１３で補正が行なわれる。カラー画像を読み取る際は、光源Ｒ，Ｇ，Ｂ毎にこの補正が実施される。
【００５２】
なお白基準データの作成に関して、画素ごとではなくエリア（ブロック）毎に補正データを作成してもよい。
【００５３】
図５に示される白基準板６を読取ることによる出力Ｖ１’、およびそれに基づく補正値Ｘ１’の取得は、所定期間ごとに自動で定期的に行なわれることが望ましい。この場合、ユーザの操作がなくとも自動で最新のデータの取得を行なうことができる。また、ユーザによる「白基準補正データの取得モード」が選択されたときに図４に示される白基準補正データの取得を行なってもよい。
【００５４】
以下に、シェーディング補正に用いる補正値Ｘ０’の算出処理について説明する。
【００５５】
撮像素子９の白基準板を読取ったときの初期出力をＶ０、一定時間経過後の出力をＶ０’とし、狙いの白基準に補正するための初期の補正値をＸ０とする。
【００５６】
撮像素子１０の白基準板を読取ったときの初期出力をＶ１、一定時間経過後の出力をＶ１’とし、狙いの白基準に補正するための初期の補正値をＸ１とする。
【００５７】
また、狙いの白基準をＷとし、この値は撮像素子９に対しても１０に対しても同じであるものとする。
【００５８】
すると、初期の補正値は、
【００５９】
Ｘ０＝Ｗ／Ｖ０
【００６０】
Ｘ１＝Ｗ／Ｖ１
【００６１】
となる（初期出力に補正値をかけることで、狙いの白基準となる）。このとき、撮像素子９の補正値の取得においては、原稿ガラス２上に置かれた治具白基準板１ａを用いるため、Ｖ０の出力は正しい白レベルに補正されることとなる。
【００６２】
この補正値を用いて、実際に撮像素子９で原稿を読み取ったデータＶａを白補正したデータＶａ’は、
【００６３】
Ｖａ’＝Ｖａ×Ｘ０
【００６４】
で表される。
【００６５】
一定時間経過後（ユーザー使用時）において、光源８が劣化するなどにより、補正値は変わってくる。一定時間経過後における撮像素子９の補正のための補正値をＸ０’とし、一定時間経過後における撮像素子１０の補正のための補正値をＸ１’とすると、
【００６６】
Ｘ０’＝Ｗ／Ｖ０’
【００６７】
Ｘ１’＝Ｗ／Ｖ１’
【００６８】
で計算された補正値を用いる必要がある。しかし、治具白基準板１ａがユーザ側に存在しないとき、白基準板を読取ったときの正しい白出力であるＶ０’が分からず、Ｘ０’を求めることができない。一方、Ｖ１’は、装置に組み込まれており汚れ等で劣化しない白基準板６を読取った出力であるため、Ｘ１’は劣化率として信頼に値するデータとなる。
【００６９】
本実施の形態では、Ｘ０’を求めるため、初期の補正値Ｘ０およびＸ１、ならびに補正値Ｘ１’を用いて
【００７０】
Ｘ０’＝Ｘ０×Ｘ１’／Ｘ１
【００７１】
の式により計算を行なう。
【００７２】
この補正値Ｘ０’を用いて、実際に撮像素子９で原稿を読取ったデータＶａを白補正したデータＶａ’は、
【００７３】
Ｖａ’＝Ｖａ×Ｘ０’  （＝Ｖａ×Ｘ０×Ｘ１’／Ｘ１）
【００７４】
で表される。
【００７５】
初期の段階で補正値Ｘ０による補正は有効に作用するが、光源８は経時により劣化するためＸ０の値は光源の劣化に合わせて補正する必要がある。本実施の形態では、治具白基準板がユーザ側に存在しない場合においても、時間経過に応じた正しい補正を行なうことができる。
【００７６】
なお、初期出力Ｖ１と適切な時期での出力Ｖ１’とを用いて、補正値Ｘ０を随時Ｘ０’に補正してもよい。例えば、
【００７７】
Ｘ０’＝Ｘ０×Ｖ１’／Ｖ１
【００７８】
の式により、補正値Ｘ０を補正することとしてもよい。
【００７９】
［フローティング・ディフュージョン（ＦＤ）部の構成］
【００８０】
図６は、フローティング・ディフュージョン（ＦＤ）部の構成を説明するための図である。
【００８１】
図に示されるように、撮像素子９，１０は、共通のフローティング・ディフュージョン（ＦＤ）部３０を有する。上述のように、撮像素子（光電変換素子）が撮像用（表側）および補正用（裏側）に２つある場合、フローティング・ディフュージョン（ＦＤ）部と呼ばれる電荷蓄積・アンプ部は共通の構成とすることができる。
【００８２】
撮像素子９，１０で光電変換されて生成された信号電荷は、フローティング・ディフュージョン（ＦＤ）部３０の電荷蓄積部に蓄えられ、緩衝増幅が行なわれてイメージセンサの外に信号電圧として出力される。この時、フローティング・ディフュージョン（ＦＤ）部３０は、撮像用と補正用の光電変換素子で共通で使用される。白補正時は、撮像素子１０から発生した信号電荷がフローティング・ディフュージョン（ＦＤ）部３０に蓄積される。原稿読取時は、撮像素子９から発生した信号電荷がフローティング・ディフュージョン（ＦＤ）部３０に蓄積される。これにより、光電変換素子の感度特性差は存在するが、ばらつき要素の大きいアンプ部の差をなくすことが可能となる。
【００８３】
［実施の形態における効果］
【００８４】
以上の実施の形態によると、２次元撮像素子を用いた画像読取装置において、原稿読取面に対して裏面に配置された撮像素子により定期的に白基準補正を行なうことで、撮像素子毎の感度補正が可能となり、光源および撮像素子のムラや劣化が補正された安定的な画像読取を行なうことが可能となる。すなわち、原稿読取を行なう際の読取り画像の出力の不安定性や濃度ムラ、および色再現性の問題を解決することができ、ムラがなく色再現性の高い画像取得が可能となる。
【００８５】
また、ユーザは煩わしい操作をすることなく白基準補正が可能となる。さらに、白基準板はユーザが触れることができない場所にあるため劣化の心配が少ない。これにより、長期にわたり安定した補正が可能になる。
【００８６】
また、撮像素子は、原稿読取用と白補正用とが表裏を逆にした状態で配置されている（すなわち、原稿読取用センサとシェーディング補正用センサとが表裏一体に構成されている）。出荷時に、原稿読取用の撮像素子で絶対的に安定した白基準板を読取ったデータから算出された補正データを回路に記憶させておき、白補正用の撮像素子で読取ったデータを上述の記憶させた補正データと比較し、回路で補正を行なうことで、表裏の撮像素子の感度差を補正することができるため、撮像素子毎のムラのない画像取得が可能となる。
【００８７】
また、白補正用の撮像素子と原稿読取用の撮像素子の電荷蓄積部を共通のものとし、ばらつきの大きいアンプ部を共通で使用することで、表裏のアンプの差によるムラが生じずに画像の取得が可能になるという効果がある。
【００８８】
［その他］
【００８９】
なお、反射透過部材としては、光の透過率を変化させることができる部材を用いるのであれば、本発明を実施することができる。
【００９０】
また、画像読取装置は、モノクロ／カラーの複写機、プリンタ、ファクシミリ装置やこれらの複合機（ＭＦＰ）などの画像形成装置に設けられてもよい。
【００９１】
また、上述の実施の形態における処理は、ソフトウエアによって行なっても、ハードウエア回路を用いて行なってもよい。
【００９２】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】本発明の実施の形態の１つにおける画像読取装置を側面から見た断面図である。
【図２】画像読取装置を一部透過させた斜視図である。
【図３】画像読取装置のハードウェア構成を示すブロック図である。
【図４】原稿または治具白基準板を読取る状態における画像読取装置を側面から見た断面図である。
【図５】白基準データを作成する状態における画像読取装置を側面から見た断面図である。
【図６】フローティング・ディフュージョン（ＦＤ）部の構成を説明するための図である。
【符号の説明】
【００９４】
１    原稿
１ａ  治具白基準板
２    原稿ガラス
３    反射透過部材（上側）
４    反射透過部材（下側）
５    ガラス
６    白基準板
７    透明電極
８    光源
８ａ  光源（ＢＬＵＥ）
８ｂ  光源（ＧＲＥＥＮ）
８ｃ  光源（ＲＥＤ）
９    撮像素子（撮像用光電変換素子）
１０  撮像素子（補正用光電変換素子）
１１  アナログ／デジタル変換器
１３  シェーディング補正回路
１５  ＣＰＵ
２１  初期補正値Ｘ０メモリ
２３  補正値算出回路
２５  初期補正値Ｘ１メモリ
２７  補正値Ｘ１’メモリ
【図１】
2010045512.tif 000003
【図２】
2010045512.tif 000004
【図３】
2010045512.tif 000005
【図４】
2010045512.tif 000006
【図５】
2010045512.tif 000007
【図６】
2010045512.tif 000008